(57)【要約】【課題】通信装置及びその方法を提供する。【解決手段】通信装置及び方法である。通信装置は、通信モジュールと制御モジュールを有する。通信モジュールが設定されて、第一キャリア上のポイントツーマルチポイントデータとポイントツーポイントデータを受信し、第一キャリア設定後、第二キャリアの設定値を受信する。通信モジュールに結合される制御モジュールは、受信された設定値に従って、第二キャリアを設定する。【選択図】図１
2011188495.tif 000002
【特許請求の範囲】
【請求項１】
通信装置の方法であって、
第一キャリア上のポイントツーマルチポイントデータとポイントツーポイントデータを受信するように設定されるステップと、
前記第一キャリアが設定された後、第二キャリアの第一設定値を受信するステップと、
を含むことを特徴とする方法。
【請求項２】
更に、
前記受信された第一設定に従って、前記第二キャリアをプライマリーキャリアとして設定するステップと、
前記第一キャリアから、前記ポイントツーマルチポイントデータを受信するステップと、
前記第一、及び、前記第二キャリアから、前記ポイントツーポイントデータを受信するステップと、
を含むことを特徴とする請求項１に記載の方法。
【請求項３】
更に、
前記第一キャリアから、前記ポイントツーマルチポイントデータの制御情報を受信するステップを含むことを特徴とする請求項２に記載の方法。
【請求項４】
更に、
専用のＲＲＣシグナリングメッセージから、前記ポイントツーマルチポイントデータの制御情報を受信するステップを含むことを特徴とする請求項２に記載の方法。
【請求項５】
更に、
前記受信された第一設定に従って、前記第二キャリアをプライマリーキャリアに設定するステップと、
前記第一キャリア上で、前記ポイントツーマルチポイントデータの受信を停止するステップと、
前記第二キャリアだけから、前記ポイントツーマルチポイントデータを受信するステップと、
を含むことを特徴とする請求項１に記載の方法。
【請求項６】
更に、
第二設定値を受信するステップと、
前記受信された第二設定値に従って、前記第一キャリアを除去するステップと、
前記第一キャリア上で受信された前記ポイントツーポイントデータの受信を停止するステップと、
前記第一、及び、第二設定値を、前記の同じ、又は、異なるＲＲＣシグナリングメッセージ内にするステップと、
を含むことを特徴とする請求項１に記載の方法。
【請求項７】
更に、
前記第二キャリアからだけ、前記ポイントツーマルチポイントデータを受信するステップを含むことを特徴とする請求項６に記載の方法。
【請求項８】
更に、
前記第一キャリアからだけ、前記ポイントツーマルチポイントデータを受信するステップを含むことを特徴とする請求項６に記載の方法。
【請求項９】
通信装置の方法であって、
第一キャリアと第二キャリア上のポイントツーマルチポイントデータを受信するステップを含むことを特徴とする方法。
【請求項１０】
更に、
ブロードキャストＲＲＣシグナリングメッセージ、又は、専用のＲＲＣシグナリングメッセージにより、前記第一、及び、前記第二キャリアの設定値を受信するステップを含むことを特徴とする請求項９に記載の方法。
【請求項１１】
更に、
ブロードキャストＲＲＣシグナリングメッセージ、又は、専用のＲＲＣシグナリングメッセージにより、前記ポイントツーマルチポイントデータの制御情報を受信するステップを含むことを特徴とする請求項９に記載の方法。
【請求項１２】
更に、
前記第一、又は、前記第二キャリア上の前記ポイントツーマルチポイントデータの制御情報を受信するステップを含むことを特徴とする請求項９に記載の方法。
【請求項１３】
通信装置の方法であって、
第一キャリア上のポイントツーマルチポイントデータを受信するステップと、
第二キャリア上のポイントツーポイントデータを受信するステップと、
を含むことを特徴とする方法。
【請求項１４】
更に、
前記第一、又は、前記第二キャリアから、前記ポイントツーマルチポイントデータの制御情報を受信するステップを含むことを特徴とする請求項１３に記載の方法。
【請求項１５】
更に、
ブロードキャストＲＲＣシグナリングメッセージ、又は、専用のＲＲＣシグナリングメッセージにより、前記ポイントツーマルチポイントデータの制御情報を受信するステップを含むことを特徴とする請求項１３に記載の方法。
【請求項１６】
更に、
設定を受信して、前記第一キャリアを除去するステップと、
前記受信された設定値に従って、前記第一キャリアを除去するステップと、
前記第一キャリア上の前記ポイントツーマルチポイントデータの受信を維持することを特徴とする請求項１３に記載の方法。
【発明の詳細な説明】
【技術分野】
【０００１】
本発明は、複数のキャリアによるデータ伝送に関するものであって、特に、複数のキャリアにより、マルチメディアブロードキャスト／マルチメディアサービス（ＭＢＭＳ）とユニキャストサービスを提供することができる通信装置に関するものである。
【背景技術】
【０００２】
多くの通信システム中、受信端は、ユニキャスト、ブロードキャスト、又は、マルチキャストデータ伝送を受信する。例えば、マルチメディアブロードキャストとマルチメディアサービス（ＭＢＭＳ）は、基地局が、一般的なチャネル上で、興味のある情報を伝送するサービスで、このサービスを購読するためのモバイル機器は、ＭＢＭＳチャネルにアクセスし、毎日のニュースや野球のゲームのスコア等、興味のあるサービスを得ることができる。
【０００３】
ロングタームエボリューション（ＬＴＥ）システムは、スリージーピーピー（Ｔｈｉｒｄ  Ｇｅｎｅｒａｔｉｏｎ  Ｐａｒｔｎｅｒｓｈｉｐ  Ｐｒｏｊｅｃｔ、３ＧＰＰ）により提出される進化した次世代無線通信システムである。ＬＴＥシステムは、高速、低遅延、パケットベースの通信を提供し、１００Ｍｂｐｓのデータ転送速度に達する。ＬＴＥシステムは、複数の進化型Ｎｏｄｅ−Ｂｓ（ｅＮＢｓ）を有する発展型ユニバーサル陸上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＥＵＴＲＡＮ）を含み、アップリンクとダウンリンク無線チャネルにより、複数のユーザー装置（ＵＥｓ）とワイヤレスで通信する。
【０００４】
ＬＴＥシステムは、複数のコンポーネントキャリアとキャリアアグリゲーション技術を用い、複数のコンポーネントキャリアが集合されて、ｅＮＢとＵＥ間で、データを伝送する。しかし、複数のコンポーネントキャリアとキャリアアグリゲーションを用いると、ユニキャストとブロードキャストサービスをＵＥに提供する複雑さが増加する。よって、複数のキャリアにより、ＭＢＭＳとユニキャストサービスを提供することができる通信装置及びその方法が必要である。
【発明の概要】
【発明が解決しようとする課題】
【０００５】
本発明は、通信装置及びその方法を提供し、上述の問題を解決することを目的とする。
【課題を解決するための手段】
【０００６】
通信装置に適用する方法の実施形態が開示され、第一キャリア上のポイントツーマルチポイントデータとポイントツーポイントデータを受信するように設定し、第一キャリア設定後、第二キャリアの設定値を受信する通信装置を含む。
【０００７】
通信装置の別の方法が提供され、第一キャリアと第二キャリア上のポイントツーマルチポイントデータを受信する通信装置を含む。
【０００８】
通信装置に用いる更に別の実施形態が示され、第一キャリア上のポイントツーマルチポイントデータを受信する通信装置を含み、通信装置は、第二キャリアからのポイントツーポイントデータを受信する。
【０００９】
通信装置の更にもう一つの実施形態が提供され、通信モジュールと制御モジュールを含む。通信モジュールが設定され、第一キャリア上のポイントツーマルチポイントデータとポイントツーポイントデータを受信し、第一キャリア設定後、第二キャリアの設定値を受信する。通信モジュールに結合される制御モジュールは、受信された設定値に従って、第二キャリアを設定する。
【００１０】
通信装置の更に又もう一つの実施形態が提供され、通信モジュールと制御モジュールを有する。通信モジュールは、第一キャリアと第二キャリア上のポイントツーマルチポイントデータを受信する。通信モジュールに結合される制御モジュールは、ポイントツーマルチポイントデータを処理して、再生する。
【００１１】
通信装置の別の実施形態が開示され、通信モジュールを含む。通信モジュールは、第一キャリア上のポイントツーマルチポイントデータを受信し、第二キャリアからのポイントツーポイントデータを受信する。
【発明の効果】
【００１２】
本発明により、複数のキャリアにより、ＭＢＭＳとユニキャストサービスを提供することができる。
【図面の簡単な説明】
【００１３】
【図１】本発明による通信装置１０ａを組み込んだ無線通信システム１を示す図である。
【図２】３ＧＰＰ規格によるＭＣＣＨ中のＭＢＭＳ制御情報のタイミング図である。
【図３】本発明による通信装置３を示す図である。
【図４】本発明による無線通信システム４を示す図である。
【発明を実施するための形態】
【００１４】
図１は、本発明による通信装置１０ａを組み込んだ無線通信システム１を示す図である。通信システム１は、通信装置１０ａ、通信装置１０ｂ、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１２を含むＬＴＥシステムである。ＬＴＥシステム中、複数のセル１２０と１２２は、ＥＵＴＲＡＮ１２内の同じｅＮＢ、又は、異なるｅＮＢに属し、アップリンクとダウンリンク無線チャネルにより、複数の遠隔ＵＥと通信し、アップリンクとダウンリンクデータ通信は、複数のコンポーネントキャリア上で実行される。
【００１５】
セル１２０と１２２は、ＬＴＥシステムの無線アクセスポートである。各セルは、少なくとも一つの無線伝送器、受信端、制御部、及び、パワーサプライを有する。各セルは、アンテナシステム、例えば、無線塔、ビル、及び、基地局を含む。
【００１６】
基地局無線装置は、トランシーバーとアンテナインターフェース装置、コントローラー、及び、パワーサプライを含む。セル１２０は、ポイントツーマルチポイントデータサービス、例えば、３ＧＰＰ２のブロードキャスト／マルチメディアサービス、３ＧＰＰのマルチメディアブロードキャスト／マルチメディアサービス、又は、別のブロードキャスティング技術を提供し、データは、複数のネットワーク受信者に同時に伝送される。セル１２２は、例えば、音声、マルチメディア、メッセージング、アプリケーションデータ、及び、他のユニキャストサービス等のポイントツーポイントデータサービスを提供し、データは、独特なネットワークアドレスにより識別される単一のネットワーク送信先に伝送される。説明を分かりやすくするため、セル１２０は、ポイントツーマルチポイントデータサービスだけを提供し、セル１２２は、ポイントツーポイントデータサービスだけを提供する。しかし、セル１２０と１２２は、好みのネットワーク設計を選択すると同時に、ポイントツーマルチポイントデータサービスとポイントツーポイントデータサービスをサポートする。
【００１７】
通信装置１０ａと１０ｂは、直接、エンドユーザーにより通信を実行する任意の装置で、例えば、ハンドホールド携帯電話、ブロードバンドネットワークアダプターを配備するラップトップ、又は、通信可能な他の装置である。通信装置１０ａは、複数のキャリア信号上のポイントツーマルチポイントデータサービスとポイントツーポイントデータサービスを同時に受信し、幾つかのキャリア信号を集合させて、データ伝送のバンド幅を１００ＭＨｚまで増加させることができ、キャリアアグリゲーション（ＣＡ）と称される。キャリア信号は、ＬＴＥ技術で、コンポーネントキャリア（ＣＣ）と称される。通信モジュール１０ａと１０ｂは、それぞれ、ベースバンドモジュール（図示しない）と無線周波数（ＲＦ）モジュール（図示しない）を有する。ベースバンドモジュールは、ハードウェアを含み、デジタル信号処理、符号化、復号化等を含むベースバンド信号処理を実行する。ＲＦモジュールは、ハードウェアを含み、アナログデジタル変換（ＡＤＣ）、デジタルアナログ変換（ＤＡＣ）、利得調整、変調、復調等を実行する。ＲＦモジュールは、セル１２０と１２２からＲＦ信号を受信し、受信したＲＦ無線信号を、ベースバンドユニットにより処理されるベースバンド信号にダウンコンバートするか、又は、ベースバンドユニットから、ベースバンド信号を受信して、受信されたベースバンド信号をアップリンク伝送するＲＦ無線信号にアップコンバートする。ＲＦモジュールはミキサーを有し、無線コミュニケーションシステムの無線周波数で振動したコンポーネントキャリア信号により、ベースバンド信号をアップコンバートする。無線周波数は、ＷＣＤＭＡシステムに用いられる９００ＭＨｚ、１９００ＭＨｚ、又は、２１００ＭＨｚ、又は、ＬＴＥシステムに用いられる９００ＭＨｚ、２１００ＭＨｚ、又は、２．６ＧＨｚ、又は、使用される無線アクセス技術（ＲＡＴ）に基づくその他の周波数である。通信装置１０ａは、一つ、又は、それ以上のコンポーネントキャリア上のダウンリンクのポイントツーマルチポイント、又は、ポイントツーポイントデータを受信する。
【００１８】
ＬＴＥシステム中、通信装置１０ａとセル１２０間の論理接続は、無線リソース制御（ＲＲＣ）接続状態により決定される。ＲＲＣアイドルモード中、通信装置１０ａとセル１２０間にはＲＲＣ接続がなく、両者の間にＲＲＣ接続を構築し、ＲＲＣ接続モードに入ることができる。ＲＲＣ接続が構築されるか、又は、再構築された後、セル１２０に対応するコンポーネントキャリアは、ダウンリンクプライマリーコンポーネントキャリア（ＤＬ  ＰＣＣ）と称される。ＲＲＣ接続モード下の各通信装置には、常に、一ダウンリンクＰＣＣと一アップリンクＰＣＣだけがある。ＲＲＣ接続構築後、キャリアアグリゲーションが通信装置１０ａに応用され、複数のコンポーネントキャリアが設定されて、通信装置１０ａとＥＵＴＲＡＮ１２間の接続を提供する。ＰＣＣ以外のコンポーネントキャリアはセカンダリーコンポーネントキャリア（ＳＣＣ）と称される。アップリンク（ＵＬ）ＰＣＣは、Ｌａｙｅｒ１のアップリンク制御情報を伝送するのに用いられる。ＤＬ  ＰＣＣは解除できない。ＤＬ  ＳＣＣがＲＬＦを経験した時ではなく、ＤＬ  ＰＣＣが無線リンク失敗（ＲＬＦ）を経験した時、ＲＣＣ再構築がトリガーされる。ＤＬ  ＰＣＣセルは、ハンドオーバー工程により変更され、即ち、キーチェンジとランダムアクセスチャネル（ＲＡＣＨ）、及び、可能な最適化を使用する。ノンアクセスストラタム（ＮＡＳ）情報はＤＬ  ＰＣＣセルから得られる。再設定値を使用することにより、ＣＣの追加と除去は、ＲＲＣシグナリングにより実行される。ＬＴＥのハンドオーバー間が実行され、ＲＲＣシグナリングも、ＣＣを追加、除去、又は、再設定して、ターゲットセルに用いる。新しいＣＣを加える時、専用のＲＲＣシグナリングが用いられて、ＣＣのシステム情報を伝送し、システム情報は、ＣＣ伝送と受信に必要なものである。
【００１９】
ＭＢＭＳ能力のあるセル１２２はマルチメディアブロードキャスト単一周波数ネットワーク（ＭＢＳＦＮ）に属し、複数のｅＮＢは同期化されて、単一周波数中、ＭＢＭＳデータを空中で放送し、ＭＢＳＦＮの範囲中の通信装置は、マルチセルブロードキャスト伝送を、単一の大きく、且つ、マルチパス効果を有するｅＮＢブロードキャスト伝送として扱う。ＭＢＳＦＮからＭＢＭＳを得る前、通信装置１０ａと１０ｂは、ブロードキャスト制御チャネル（ＢＣＣＨ）上で、制限のあるＭＢＭＳ制御情報を得て、マルチキャスト制御チャネル（ＭＣＣＨ）を設定し、ＭＣＣＨは、通信装置が使用して、マルチキャスト輸送チャンネル（ＭＴＣＨ）のＭＢＭＳを得ることができるＭＢＭＳ制御情報を運ぶ。ＢＣＣＨ上の制限のあるＭＢＭＳ制御情報は、Ｓｙｓｔｅｍ  ｉｎｆｏｒｍａｔｉｏｎ  ＢｌｏｃｋＴｙｐｅ１３で定義される。ＭＢＭＳ制御情報は、Ｓｙｓｔｅｍ  ｉｎｆｏｒｍａｔｉｏｎ  ＢｌｏｃｋＴｙｐｅ１３で定義される設定可能な反復期間を用いて、ＭＢＳＦＮで、周期的に放送される。図２は、３ＧＰＰ規格によるＭＣＣＨ中のＭＢＭＳ制御情報のタイミング図である。ＭＢＭＳ制御情報は、各ＭＣＣＨ周期ＴＭＣＣＨ０で、ＭＢＳＦＮ中で放送され、ＭＣＣＨ周期ＴＭＣＣＨ０は、Ｓｙｓｔｅｍ  ｉｎｆｏｒｍａｔｉｏｎ  ＢｌｏｃｋＴｙｐｅ  １３により変化を受ける。ＭＣＣＨで、ＭＢＭＳ制御情報が変化を生じる時、更新された制御情報２２０、２２２、２２４、及び、２２６が、ネットワークで、ブロードキャストされる前、同じ情報２００、２０２、２０４、及び、２０６が変更期間ＴＭで何度も伝送され、変更期間ＴＭもＳｙｓｔｅｍ  ｉｎｆｏｒｍａｔｉｏｎ  ＢｌｏｃｋＴｙｐｅ１３で定義される。変更期間ＴＭ中、通信装置１０ａと１０ｂは、ＭＢＭＳ特定の無線網臨時識別子（ＲＮＴＩ）、又は、Ｍ−ＲＮＴＩを得て、Ｍ−ＲＮＴＩは、ｗｈｉｃｈ  ｎｏｔｉｆｉｅｓ  ８−ｂｉｔ  ビットマップデータ中、重複係数、無線フレームオフセット、及び、通知サブフレームを含むＭＣＣＨ情報変化を通知する。ＭＢＭＳの受信に興味がある通信装置は、ＭＣＣＨ情報変更通知に従って、更新期間ＴＵの開始後、更新された制御情報２２０、２２２、２２４、及び、２２６を得て、これにより、ＭＢＭＳデータを得る。ＭＢＭＳの受信に興味がない通信装置は、ＭＣＣＨ情報変更通知で、重複係数通知値ＲｅｐｅｔｉｔｉｏｎＣｏｅｆｆを得ることができ、ＭＢＭＳが必要な時、更新された制御情報を得る。ＥＵＴＲＡＮ１２は、媒体アクセス制御（ＭＡＣ）層で、周期的に、動的スケジューリング情報（ＤＳＩ）を提供して、ＭＴＣＨのサブフレームのＭＢＭＳサービスを示し、通信装置１０ａと１０ｂは、興味のあるＭＢＭＳサービスを判定し、回収することができる。
【００２０】
図１を参照すると、通信装置１０ａはセル１２２とＲＲＣ接続を構築し、ＤＬ  ＰＣＣ１６にダウンリンクユニキャストサービスを提供させ、ＵＬ  ＰＣＣ１７にアップリンクユニキャストサービスを提供させる。同時に、通信装置１０ａは、ＭＣＣＨを設定するＳｙｓｔｅｍ  ｉｎｆｏｒｍａｔｉｏｎ  ＢｌｏｃｋＴｙｐｅ１３を得て、ＭＢＭＳ制御情報を獲得し、通信装置が、コンポーネントキャリア１４により、興味のあるＭＢＭＳデータを回収することができるようにする。ＭＢＭＳ制御情報とＭＢＭＳデータは、セル１２０、又は、ＭＢＳＦＮのセル（図示しない）により放送される。コンポーネントキャリア１４と１６は同じでも、異なってもよい。
【００２１】
図３は、本発明による通信装置３を示す図で、図１の通信装置１０ａに使用される。通信装置３は、通信モジュール３０、制御モジュール３２、メモリモジュール３４、及び、ＩＯモジュール３６を含む。通信モジュール３０、メモリモジュール３４、及び、ＩＯモジュール３６は全て、制御モジュール３２に結合される。
【００２２】
一実施形態中、コンポーネントキャリア１４と１６は異なる。通信モジュール３０は、空中からＲＦ信号を送受信する無線トランシーバーを含む。通信モジュール３０は、コンポーネントキャリア１４（第一キャリア）から、ポイントツーマルチポイントデータを受信し、コンポーネントキャリア１６（第二キャリア）からポイントツーポイントデータを受信する。ポイントツーマルチポイントデータはＭＢＭＳデータで、ポイントツーポイントデータはユニキャストボイスデータである。通信モジュール３０は、ＥＵＴＲＡＮ１２により周期的に放送されるＤＳＩに従って、興味のあるＭＢＭＳデータを受信する。ＭＢＭＳデータとユニキャストボイスデータはメモリモジュール３４に保存される。通信モジュール３０は、コンポーネントキャリア１４、又は、１６から、ＭＢＭＳデータの制御情報を受信する。通信モジュール３０も、専用のポイントツーポイント伝送、つまり、ＲＲＣシグナリングから、ＭＢＭＳデータの制御情報を受信する。ＭＢＭＳデータの制御情報は、ＢＣＣＨ上のＳｙｓｔｅｍ  ｉｎｆｏｒｍａｔｉｏｎ  ＢｌｏｃｋＴｙｐｅ１３とＭＣＣＨ上のＭＢＭＳ制御情報の少なくとも一つを含む。ＭＢＭＳデータは、ＭＴＣＨデータ、ＭＣＣＨデータ、動的スケジューリング情報（ＤＳＩ）、ＭＣＣＨ変更通知の少なくとも一つを含む。ＭＣＣＨ変更通知は、Ｍ−ＲＮＴＩにより、物理ダウンリンク制御チャネル（ＰＤＣＣＨ）上で受信される。制御モジュール３２は、ＭＢＭＳデータの制御情報に従って、コンポーネントキャリア１４を設定し、ＭＢＭＳデータを処理して、ＩＯモジュール３６により、マルチメディアサービスを伝送し、ユニキャストボイスデータを処理して、ＩＯモジュール３６により、通話を再生する。再生操作は、ＩＯモジュール２６上で、テキスト、又は、イメージデータを表示するか、又は、ビデオ、又は、オーディオマルチメディアデータを再生することを含む。ＩＯモジュール３６は、ディスプレイスクリーン、タッチスクリーン、スピーカー、マイクロフォン、又は、キーボードを含む。
【００２３】
本発明の実施形態は、通信装置を提供し、分離したコンポーネントキャリア上で、ユニキャストとブロードキャストサービスを回収し、これにより、設計の複雑さと信号干渉を減少させる。
【００２４】
別の実施形態中、コンポーネントキャリア１４と１６は同じで、つまり、ポイントツーマルチポイントデータとポイントツーポイントデータはタイムリーに多重化され、ＤＬ  ＰＣＣで伝送される。例えば、ＭＢＭＳデータは所定のサブフレームで伝送され、各１０ｍｓ無線フレーム内のサブフレーム０、４、及び、５を保留して、ユニキャスト伝送する。ポイントツーマルチポイントデータはＭＢＭＳデータで、ポイントツーポイントデータはユニキャストボイスデータである。通信モジュール３０は、ＤＬ  ＰＣＣ（第一キャリア）から、ＭＢＭＳデータとユニキャストボイスデータを受信し、ＭＢＭＳデータとユニキャストボイスデータを受信する時、ＤＬ  ＳＣＣ（第二キャリア）の設定値を受信する。ＭＢＭＳデータとユニキャストボイスデータはメモリモジュール３４に保存される。制御モジュール３２は、受信された設定値に従って、第二コンポーネントキャリアをプライマリーコンポーネントキャリアに設定し、ＭＢＭＳデータを処理して、ＩＯモジュール３６により、マルチメディアサービスを再生し、ユニキャストボイスデータを処理して、ＩＯモジュール３６により、通話を再生する。ＩＯモジュール３６は、ディスプレイスクリーン、タッチスクリーン、スピーカー、マイクロフォン、キーボードからなる。通信モジュール３０は、第一コンポーネントキャリアだけから、ＭＢＭＳデータを受信する。通信モジュール３０は、第一コンポーネントキャリア、又は、専用のＲＲＣシグナリングメッセージだけから、ＭＢＭＳデータの制御情報を受信する。ＭＢＭＳデータの制御情報は、ＢＣＣＨ上のＳｙｓｔｅｍ  ｉｎｆｏｒｍａｔｉｏｎ  ＢｌｏｃｋＴｙｐｅ１３とＭＣＣＨ上のＭＢＭＳ制御情報の少なくとも一つを含む。ＭＢＭＳデータは、ＭＴＣＨデータ、ＭＣＣＨデータ、ＤＳＩ、及び、ＭＣＣＨ変更通知の少なくとも一つを含む。ＭＣＣＨ変更通知は、Ｍ−ＲＮＴＩにより、物理ダウンリンク制御チャネル（ＰＤＣＣＨ）で受信される。
【００２５】
本発明の実施形態は、通信装置を提供し、分離したコンポーネントキャリア上で、ユニキャストとブロードキャストサービスを回収し、これにより、設計の複雑さと信号干渉を減少させる。
【００２６】
別の実施形態中、コンポーネントキャリア１４と１６は同じ、つまり、ポイントツーマルチポイントデータとポイントツーポイントデータはタイムリーに多重化されて、ＤＬ  ＰＣＣ上で伝送される。ポイントツーマルチポイントデータはＭＢＭＳデータで、ポイントツーポイントデータはユニキャストボイスデータである。通信モジュール３０は、ＤＬ  ＰＣＣ（第一キャリア）から、ＭＢＭＳデータとユニキャストボイスデータを受信し、ＭＢＭＳデータとユニキャストボイスデータを受信する時、ＤＬ  ＳＣＣ（第二キャリア）の設定値を受信する。ＭＢＭＳデータとユニキャストボイスデータはメモリモジュール３４に保存される。制御モジュール３２は、受信された設定値に従って、第二コンポーネントキャリアをプライマリーコンポーネントキャリアに設定し、ＭＢＭＳデータを処理して、ＩＯモジュール３６により、マルチメディアサービスを再生し、ユニキャストボイスデータを処理し、ＩＯモジュール３６により、通話を再生する。ＩＯモジュール３６は、ディスプレイスクリーン、タッチスクリーン、スピーカー、マイクロフォン、又は、キーボードを含む。通信モジュール３０は、その後、第一コンポーネントキャリアからのＭＢＭＳデータの受信を停止し、第二コンポーネントキャリアだけからＭＢＭＳデータを受信する。同時に、通信モジュールは、第一、又は、第二コンポーネントキャリアから、ユニキャストボイスデータを受信することができる。通信モジュール３０は、第二コンポーネントキャリア、又は、専用のポイントツーポイント伝送、例えば、ＲＲＣシグナリングだけから、ＭＢＭＳデータの制御情報を受信することができる。ＭＢＭＳデータの制御情報は、ＢＣＣＨ上のＳｙｓｔｅｍ  ｉｎｆｏｒｍａｔｉｏｎ  ＢｌｏｃｋＴｙｐｅ１３  とＭＣＣＨ上のＭＢＭＳ制御情報の少なくとも一つを含む。ＭＢＭＳデータは、ＭＴＣＨデータ、ＭＣＣＨデータ、ＤＳＩ、及び、ＭＣＣＨ変更通知の少なくとも一つを含む。ＭＣＣＨ変更通知は、Ｍ−ＲＮＴＩにより、物理ダウンリンク制御チャネル（ＰＤＣＣＨ）で受信される。
【００２７】
本発明の実施形態は、通信装置を提供し、一コンポーネントキャリア上のブロードキャストサービス、及び、同じ、又は、異なるコンポーネントキャリア上のユニキャストデータを回収し、設計のフレキシブル性を提供し、信号干渉を減少させる。
【００２８】
別の実施形態中、ＲＲＣアイドルモード期間で、通信モジュール３０は、コンポーネントキャリア１４と１６の一つだけから、ＭＢＭＳを受信する。通信モジュール３０は、複数の伝送器と受信端を有し、複数のコンポーネントキャリア上で、データサービスを送受信する。通信モジュール３０中、ＭＢＭＳに対応する一受信端だけがオンになり、ＭＢＭＳデータ受信が可能になる。受信されたＭＢＭＳデータはメモリモジュール３４に保存され、制御モジュール３２により処理され、ＩＯモジュール３６上で再生する。
【００２９】
本発明の実施形態は、通信装置を提供し、一コンポーネントキャリア上で、ユニキャストとブロードキャストサービスを回収し、これにより、消費電力を減少させる。
【００３０】
更に別の実施形態中、コンポーネントキャリア１４と１６は同じで、ポイントツーマルチポイントデータとポイントツーポイントデータはタイムリーに多重化され、第一ＤＬ  ＣＣ上で伝送される。ポイントツーマルチポイントデータはＭＢＭＳデータで、ポイントツーポイントデータはユニキャストボイスデータである。通信モジュール３０は、第一ＤＬ  ＣＣ（第一キャリア）からＭＢＭＳデータとユニキャストボイスデータを受信し、ＲＲＣ接続Ｒｅ設定値等のＲＲＣシグナリングを受信し、ＭＢＭＳデータとユニキャストボイスデータを受信する時、第一ＤＬ  ＣＣと第二ＤＬ  ＣＣ（第二キャリア）を設定する。ＭＢＭＳデータとユニキャストボイスデータはメモリモジュール３４で保存される。通信モジュール３０は第二設定値を受信して、第一ＤＬ  ＣＣを除去する。第一と第二設定値は、同じ、又は、異なる設定値ファイルである。受信された第二設定値に従って、制御モジュール３２は、第一ＤＬ  ＣＣを除去し、第二ＤＬ  ＣＣを加えて、新しいＣＣとする。第一ＤＬ  ＣＣが除去されたので、通信装置３は、使用可能なコンポーネントキャリアから、別のＭＢＭＳ能力のあるセルを探す。本実施形態中、制御モジュール３２は、ＭＢＭＳデータが新しい第二ＣＣ上で伝送されるかを判断する。ＭＢＭＳデータが第二ＣＣで伝送される場合、通信モジュール３０は、第一ＣＣから、全データの受信を停止し、第二コンポーネントキャリアから、ＭＢＭＳデータとユニキャストデータを受信する。ＭＢＭＳデータが第二ＣＣで伝送されない場合、通信モジュール３０は、第二ＰＣＣから、ユニキャストデータだけを得る。別の実施形態中、通信装置３は第一ＤＬ  ＣＣを除去し、第二ＣＣと別の新しいＣＣを加え、制御モジュール３２は、利用可能なコンポーネントキャリアの間で、ＭＢＭＳサービスプロバイダを捜し、ＭＢＭＳサービスを得ることができる。制御モジュール３２はＭＢＭＳデータを処理し、ＩＯモジュール３６により、マルチメディアサービスを再生し、ユニキャストボイスデータを処理し、ＩＯモジュール３６により、通話を再生する。ＩＯモジュール３６は、ディスプレイスクリーン、タッチスクリーン、スピーカー、マイクロフォン、又は、キーボードを含む。通信モジュール３０は、第二コンポーネントキャリア、又は、専用のポイントツーポイント伝送、つまり、ＲＲＣシグナリングだけからＭＢＭＳデータの制御情報を受信することができる。ＭＢＭＳデータの制御情報は、ＢＣＣＨ上のＳｙｓｔｅｍ  ｉｎｆｏｒｍａｔｉｏｎ  ＢｌｏｃｋＴｙｐｅ１３とＭＣＣＨ上のＭＢＭＳ制御情報の少なくとも一つを含む。ＭＢＭＳデータは、ＭＴＣＨデータ、ＭＣＣＨデータ、ＤＳＩ、及び、ＭＣＣＨ変更通知の少なくとも一つを含む。ＭＣＣＨ変更通知は、Ｍ−ＲＮＴＩにより、物理ダウンリンク制御チャネル（ＰＤＣＣＨ）で受信される。
【００３１】
本発明の実施形態は、通信装置を提供し、一コンポーネントキャリア上で、ユニキャストとブロードキャストサービスを回収し、これにより、消費電力を減少させる。
【００３２】
更に別の実施形態中、別のコンポーネントキャリアを探して、ＭＢＭＳを提供するのではなく、通信モジュール３０が元のＰＣＣだけか、ＭＢＭＳデータの受信を継続することを除いては、通信装置３の操作は前述の実施形態と同じである。
本発明の実施形態は、通信装置を提供し、中断することなく、一コンポーネントキャリア上で、ブロードキャストサービスを回収し続けるので、ＰＣＣの変化時に、シームレスＭＢＭＳデータ回収を提供する。
【００３３】
図４は、本発明による無線通信システム４を示す図で、通信装置３を通信装置４０ａとする。無線通信システム４は、通信装置４０ａが、複数のコンポーネントキャリア４４と４６により、セル４２２と４２０から、ＭＢＭＳデータを受信することができる以外は、図１の無線通信１と同じである。
【００３４】
通信モジュール３０は、空中から、ＲＦ信号を送受信する無線トランシーバーを含む。通信モジュール３０は、第一コンポーネントキャリア４４（第一キャリア）と第一コンポーネントキャリア４６（第二キャリア）からポイントツーマルチポイントデータを受信する。ポイントツーマルチポイントデータはＭＢＭＳデータである。通信モジュール３０は、ＥＵＴＲＡＮ４２により周期的に放送されるＤＳＩに従って、興味のあるＭＢＭＳを受信する。通信モジュール３０は、コンポーネントキャリア４４、又は、４６、又は、専用のポイントツーポイント伝送、即ち、ＲＲＣシグナリング  ＲＲＣｃｏｎｎｅｃｔｉｏｎＲｅｃｏｎｆｉｇｕｒａｔｉｏｎから、第一と第二コンポーネントキャリアの設定値を受信する。制御モジュール３２は、受信された設定値に従って、第一と第二コンポーネントキャリアを設定し、これにより、ユニキャストデータを受信する。ＭＢＭＳデータとユニキャストボイスデータがメモリモジュール３４に保存される。通信モジュール３０も、コンポーネントキャリア４４か４６、又は、専用のポイントツーポイント伝送、例えば、ＲＲＣシグナリングＲＲＣｃｏｎｎｅｃｔｉｏｎＲｅｃｏｎｆｉｇｕｒａｔｉｏｎから、ＭＢＭＳデータの制御情報を受信する。ＭＢＭＳデータの制御情報は、ＢＣＣＨ上のＳｙｓｔｅｍＩｎｆｏｒｍａｔｉｏｎＢｌｏｃｋＴｙｐｅ１３とＭＣＣＨ上のＭＢＭＳ制御情報の少なくとも一つを含む。ＭＢＭＳデータは、ＭＴＣＨデータ、ＭＣＣＨデータ、動的スケジューリング情報（ＤＳＩ）、及び、ＭＣＣＨ変更通知の少なくとも一つを含む。ＭＣＣＨ変更通知は、Ｍ−ＲＮＴＩにより、物理ダウンリンク制御チャネル（ＰＤＣＣＨ）上で受信される。制御モジュール３２は、ＭＢＭＳデータの制御情報に従って、キャリアコンポーネント３４と３６を設定し、ＭＢＭＳデータを処理し、ＩＯモジュール３６により、マルチメディアサービスを再生し、ユニキャストボイスデータを処理し、ＩＯモジュール３６により、通話を再生する。ＩＯモジュール３６は、ディスプレイスクリーン、タッチスクリーン、スピーカー、マイクロフォン、又は、キーボードを含む。
【００３５】
本発明の実施形態は、通信装置を提供し、一つ以上のコンポーネントキャリア上で、ブロードキャストサービスを回収し、複数のコンポーネントキャリアのＭＢＭＳデータ回収機構を提供する。
【００３６】
明細書で用いられる“判定”は、計算、演算、処理、抽出、調査、検索（例えば、表、データベース、又は、別のデータ構造中で検索する）、確定等を含む。又、“判定”は、解決、選択、獲得、構築等の意義も含む。
【００３７】
本発明の各種論理ブロック、モジュール、及び、回路は、汎用プロセッサ、デジタル信号プロセッサ（ＤＳＰ）、特定用途向け集積回路（ＡＳＩＣ）、フィールド・プログラマブル・ゲート・アレイ信号（ＦＰＧＡ）、又は、別のプログラム可能論理回路、離散ゲート、又は、トランジスタ論理、離散ハードウェアコンポーネント、又は、それらの組み合わせを使用して実施、実行され、本発明の功能を実現する。汎用プロセッサはマイクロプロセッサであるが、プロセッサは、市販のプロセッサ、コントローラー、マイクロコントローラー、又は、状態機械でもよい。
【００３８】
本発明の各論理ブロック、モジュール、回路の操作と機能は、回路ハードウェア、又は、埋め込み式ソフトウェアコードで実行され、プロセッサによりアクセス、実行される。
【００３９】
本発明では好ましい実施例を前述の通り開示したが、これらは決して本発明に限定するものではなく、当該技術を熟知する者なら誰でも、本発明の精神と領域を脱しない範囲内で各種の変動や改良を加えることができ、従って本発明の保護範囲は、特許請求の範囲で指定した内容を基準とする。
【符号の説明】
【００４０】
３    通信装置
３０    通信モジュール
３２    制御モジュール
３４    メモリモジュール
３６    ＩＯモジュール
【図１】
2011188495.tif 000003
【図２】
2011188495.tif 000004
【図３】
2011188495.tif 000005
【図４】
2011188495.tif 000006
【外国語明細書】
2011188495000001.pdf
2011188495000002.pdf
2011188495000003.pdf
2011188495000004.pdf